(57)【要約】【課題】名札やＩＤカードを汎用のヘルメットに着脱自在に、安定よく装着することができるカードホルダを提供する。【解決手段】平板で略Ｔ字状に形成し下端にヘルメットの下端外周縁部分への着脱手段を備えたホルダ本体１と、ホルダ本体１に対して着脱自在に装着するカードケース２で構成する。カードケース２には、上部左右両側と中央下部に取り付け用の貫通孔を穿設するとともに、ホルダ本体１には上部左右両側と中央下部にカードケース２に穿設した貫通孔にそれぞれ係合する係止手段を形成する。係止手段は、上部右側に設けるＬ字状突起６と、上部左側に配置する係止爪７と、中央下部に配置するフック杆８である。【選択図】  図１
2008266858.tif 000002
【特許請求の範囲】
【請求項１】
平板で略Ｔ字状に形成し下端にヘルメットの下端外周縁部分への着脱手段を備えたホルダ本体と、該ホルダ本体に対して着脱自在に装着するカードケースで構成し、
前記カードケースは上部左右両側と中央下部に取り付け用の貫通孔を穿設するとともに、前記ホルダ本体は上部左右両側と中央下部にカードケースに穿設した貫通孔に係合する係止手段を形成し、
ホルダ本体の上部左右両側に形成する係止手段のうち、一方の係止手段はカードケースの貫通孔に貫通させてカードケースの面方向の移動を阻止するＬ字状突起であり、ホルダ本体の上部左右両側に形成する係止手段の他方の係止手段は、カードケースの貫通孔に係合し前記Ｌ字状突起方向へのカードケースの移動を阻止する係止爪であってあり、ホルダ本体の中央下部に形成する係止手段はカードケースの貫通孔に対して面と直行する方向に着脱可能で面方向の抜け出しを阻止するきのこ状のフック杆であることを特徴とするヘルメット用カードホルダ。
【請求項２】
ホルダ本体の上部左右いずれかに配置する係止爪の、上下端のいずれか一方もしくは双方に面取りを施すことによって傾斜面を形成し、該部分におけるカードケースの上下方向の移動を許容することを特徴とする請求項１記載のヘルメット用カードホルダ。
【請求項３】
ホルダ本体の下端に形成するヘルメット下端外周縁部分への着脱手段は、下端を折り返し、該折り返し片の弾性によって垂直方向であるヘルメットの下端部を抱持させるとともに、Ｔ字状ホルダ本体の下端部内面にヘルメットの外表面に点もしくは線接触をする突起部を形成し、折り返し片の先方部分を前記突起部よりも上方位置において弾性的に押圧させることを特徴とする請求項１又は２記載のヘルメット用カードホルダ。
【請求項４】
ホルダ本体の下端に形成するヘルメット下端外周縁部分への着脱手段は、下端を外方に向けて折曲し、外方から内方に向けて折り返し、該折り返し片の弾性によってホルダ本体を、下端外周に鍔を形成したヘルメットの鍔部分を抱持させることを特徴とする請求項１又は２記載のヘルメット用カードホルダ。
【発明の詳細な説明】
【技術分野】
【０００１】
この発明は、名札やＩＤカードをヘルメットに着脱自在に装着するための、ヘルメット用カードホルダに関する発明である。
【背景技術】
【０００２】
作業現場においては、作業者を識別するための名札や安全管理上の作業員証、ＩＤカードなどの携行が義務付けられる場合が多い。特に、ＩＤカードなどは、作業中常に携行する必要があるとともに、作業後にも大切に保管しておく必要がある。したがって、これをヘルメットに着脱自在として携行することが行われている。
従来のヘルメット用カードケースは、特許文献２や特許文献３に開示されているように、ヘルメットそのものの構造として形成されているのが普通である。また特許文献１に開示されるように後付構造のカードホルダとして、ヘルメットの外表面に接着固着するものが知られている。
【特許文献１】実用新案登録第３０４１１０６号公報
【特許文献２】特開平１１―１２８４１号公報
【特許文献３】特開２０００―２０１７１７号公報
【発明の開示】
【発明が解決しようとする課題】
【０００３】
特許文献２や３に開示されるカードホルダ付のヘルメットは、ヘルメットそのものの構造が複雑で高価なものとなり、軽量なヘルメットを実現することが困難である。また、特許文献１に開示されるカードホルダを備えたヘルメットは、装着するカードホルダがヘルメットの外表面に大きく突出するため、作業の邪魔になる場合があった。そして、上記いずれのヘルメットもカードホルダ付の専用ヘルメットとして使用する必要があり、一般的なカードケースのないヘルメットを必要に応じてカードホルダ付のヘルメットとして使用することができなかった。
【０００４】
上記、従来技術の欠点に鑑み本発明は、通常のヘルメットに簡単に装着してカードホルダ付のヘルメットとして使用することができるとともに、カードを保持させるカードケースの着脱が容易であるとともに確実に装着し、さらに作業の邪魔にならないヘルメット用カードホルダを提供することを目的とするものである。
【課題を解決するための手段】
【０００５】
上記目的を達成するため、請求項1記載の発明は、平板で略Ｔ字状に形成し下端にヘルメットの下端外周縁部分への着脱手段を備えたホルダ本体１と、ホルダ本体１に対して着脱自在に装着するカードケース２で構成する。カードケース２には、上部左右両側と中央下部に取り付け用の貫通孔３、４、５を穿設するとともに、ホルダ本体１には上部左右両側と中央下部にカードケース２に穿設した貫通孔３〜５にそれぞれ係合する係止手段を形成する。
【０００６】
ホルダ本体１の上部左右両側に形成する係止手段のうち、一方の係止手段はカードケース２の貫通孔３に貫通させてカードケース２の面方向の移動を阻止するＬ字状突起６であり、ホルダ本体１の上部左右両側に形成する係止手段の他方の係止手段は、カードケース２の貫通孔４に係合し前記Ｌ字状突起方向へのカードケース２の移動を阻止する係止爪７である。また、ホルダ本体１の中央下部に形成する係止手段はカードケース２の貫通孔５に対して面と直行する方向に着脱可能で、面方向の抜け出しを阻止するきのこ状のフック杆８である。
【０００７】
請求項２記載の発明は、ホルダ本体１の上部左右いずれかに配置する係止爪７の、上下端のいずれか一方もしくは双方に面取りを施すことによって傾斜面９を形成し、この部分におけるカードケース２の上下方向の移動を許容、換言すれば貫通孔４からの抜け出しを容易にすることである。
【０００８】
請求項３及び４記載の発明は、ホルダ本体１の下端に形成するヘルメット10の下端外周縁部分への着脱手段に関するものである。請求項３記載の発明は、ホルダ本体１の下端を折り返し、この折り返し片11の弾性によって垂直方向であるヘルメット10の下端部を抱持させるとともに、Ｔ字状であるホルダ本体１の下端部内面にヘルメットの外表面に点もしくは線接触をする突起部12を形成し、折り返し片11の先方部分を突起部12よりも上方位置において弾性的に押圧させることである。
【０００９】
請求項４記載の発明は、ヘルメットの外周に鍔13や反り返った溝を備えたヘルメットへの装着構造である。すなわち、ホルダ本体１の下端に形成するヘルメット１の下端外周縁部分への着脱手段は、下端を外方に向けて折曲することによって外方折曲部14を形成し、外方から内方に向けて折り返した折り返し片15の弾性によってホルダ本体１を、下端外周に鍔13を形成したヘルメットの鍔13部分を抱持させることである。
【発明の効果】
【００１０】
請求項1記載の本発明によれば、ＩＤカードや名札を装着したカードケース２の上部左右両側に穿設した一方の貫通孔３を、ホルダ本体１のＬ字状突起６に挿入し、他方の貫通孔４を係止爪７に引っ掛けるとともに、カードケース２の中央下部に穿設した貫通孔５をきのこ状のフック杆８に押し込む操作によってカードケースをホルダ本体１に簡単に装着することができる。そして、ホルダ本体１自体は、下端に形成した着脱手段によって、任意のヘルメット下端外周縁部分に着脱することによって、カードホルダを具備していない汎用のヘルメットをカードホルダ付のヘルメットとして使用することができる。
【００１１】
請求項２記載の発明によれば、ホルダ本体１に装着したカードケース２を取り外す際に、カードケース２の中央下部を表面方向に引っ張り、カードケース２の中央下部における貫通孔５とフック杆８との係合を外した状態で、係止爪７によって係合しているカードケースの一方を上下方向に移動させることによって、係止爪７と貫通孔４との係合を解除し、カードケース２を簡単に取り外すことができる。
【００１２】
請求項３記載の発明によれば、外周に鍔を形成していないヘルメットに対してホルダ本体１を差し込むことによって簡単に装着し、装着したホルダ本体１は、ホルダ本体の下端部内面に形成した突起部12が支点となって、返し片の弾性によってしっかりと装着される。
【００１３】
請求項４記載の発明によれば、下端外周に鍔13を形成したヘルメットに対して、ホルダ本体１の下端部に形成した着脱構造が、ヘルメットの鍔13部分を抱持することによってホルダ本体１をヘルメットに、容易に外れないように確実に装着することができる。
【発明を実施するための最良の形態】
【００１４】
以下、本発明に係るヘルメット用カードホルダの好ましい実施形態を添付の図面に基いて説明する。図１はホルダ本体１の正面図、図２はホルダ本体１に装着するカードケース２の正面図、図３はホルダ本体の背面図、図４は図１のIV−IV線断面図である。
【００１５】
ホルダ本体１は平板で、全体を略Ｔ字状に形成するとともに、図４からもわかるように全体を左右方向に湾曲させ、ヘルメットの外表面に沿うように考慮している。
ホルダ本体１の上部左右両側と中央下部には、カードケースとの係止手段を設けている。図１の図面上の、上部右側には、外向き(右方)に開放される断面略Ｌ字状のＬ字状突起６を一体に形成している。
【００１６】
ホルダ本体１の上部左側には、右方に開放される係止爪７を一体に形成している。すなわち、係止爪７は右方から左方への進入を許容し、左方から右方への移動に際して爪が引っ掛かる状態としている。また、ホルダ本体１の中央下部には、断面略きのこ状のフック杆８を配置している。さらに、ホルダ本体１の下端にはヘルメットの下端外周縁部分への着脱手段を備えている。
【００１７】
ホルダ本体１に装着するカードケース２は、例えば透明な合成樹脂製の薄い硬質シートを二枚重ねとし下辺を除く外周の三方を溶着し、下辺の開放辺から任意のカード16を挿入可能なものとする。上記カードケース２には、ホルダ本体１への取り付けのために、上部左右両側に縦長の貫通孔３、４と、中央下部に縦長の貫通孔５を穿設している。
【００１８】
上記、カードケース２をホルダ本体１に装着するには、カードケース２の右側の貫通孔３をＬ字状突起６に挿入する。続いて、カードケース２の左端を右から左に滑らせるように移動させることによって、係止爪７を貫通孔４に係止させる。この状態で、カードケース２の下部を押圧すると、カードケース２の貫通孔５にホルダ本体１のフック杆８が嵌り込んでしっかりと装着される。上記、カードケースの装着状態では、係止爪７が貫通孔４に係合することによってカードケース２を右方に移動させることができないため、カードケース２は三点支持によって盲動したり、脱落する虞がなく装着される。この際、フック杆８の存在によってカードケース２内のカード16が開放端(下辺)から抜け落ちることがない。
【００１９】
図示実施形態においては、図３及び図６に示すように、係止爪７の上端に面取りを施すことによって傾斜面９を形成している。このように、係止爪７に傾斜面９を形成することによって、図５(ａ)示すように係止爪７が貫通孔４に係合している状態で、カードケース２を矢印で示すように下方に引っ張ると、貫通孔４の上端縁が傾斜面９に案内され、図５(ｂ)に示すように簡単に抜き出すことができる。
【００２０】
すなわち、カードケース２をホルダ本体１から取り外す場合は、中央下部における貫通孔５とフック杆８の係合を外した状態で、カードケース２の左側を下方に引っ張ると、貫通孔４と係止爪７の係合が外れ、最後に貫通孔３からＬ字状突起６を抜き出すことによって簡単に取り外すことができる。なお、図示実施形態では、係止爪７の上端部に傾斜面９を形成しているが、下端部、あるいは上下両端部に傾斜面９を形成することもできる。この場合、カードケース２を上方に押し上げることによって貫通孔４と係止爪７との係合を外すことができる。
【００２１】
ホルダ本体１の下端に形成するヘルメット下端外周縁部分への着脱手段は、ヘルメットの形状、構造に対応する構成とするのがよい。下端外周に鍔が形成されていないヘルメットの場合は、図７(ａ)に示すようにホルダ本体１の下端を折り返した構造とし、図７(ｂ)に示すように折り返し片11の弾性によって垂直方向であるヘルメット10の下端部を抱持することができるようにしておく。
【００２２】
このとき、図７に示す実施形態では、Ｔ字状であるホルダ本体１の下端部内面幅方向に、ヘルメットの外表面に線接触をする突起部12を形成するとともに、折り返し片11をヘルメット10の下端に差し込んだ場合に、折り返し片11の先方部分が、突起部12よりも上方位置においてヘルメット10の内表面に弾性的に押圧するようにしている。
上記構成とすることによって、カードホルダ１をヘルメットに装着した状態で、ヘルメット10の表面において突起部12の線接触と、離れた位置の折り返し片11の弾性的接触によって、カードホルダ１は安定状態に保持される。このとき、ヘルメット10の下端は、折り返し部11の下端内面に接触するように差し込んでおくのが好ましい。
【００２３】
下端外周に鍔13が形成されていないヘルメットの場合は、図８に示すように下端を外方に向けて折曲して外方折曲部14を形成するとともに、外方折曲部14から内方に折り返して折り返し片15を形成しておく。そして、内方への折り返し片15の弾性によってヘルメットの鍔部分を抱持させるようにする。この構造では、外向きの鍔13部分を折り返し片15によって抱持するため、ホルダ本体１が上下方向に盲動することなく、ホルダ本体１をヘルメットに安定的に装着することができる。
【図面の簡単な説明】
【００２４】
【図１】図１は、ホルダ本体１の正面図、
【図２】図２は、ホルダ本体１に装着するカードケース２の正面図、
【図３】図３は、ホルダ本体の背面図、
【図４】図４は、図１のIV−IV線断面図、
【図５】図５は、カードケースを装着したホルダ本体の係止爪部分の拡大断面図、
【図６】図６は、ホルダ本体の係止爪部分のみの斜視図、
【図７】図７は、鍔のないヘルメットへの装着状態を示すホルダ本体の下端部の縦断面図、
【図８】図８は、鍔付きのヘルメット用の着脱構造を備えたものであって、一部を拡大断面で示す、ホルダ本体の側面図。
【００２５】
１…ホルダ本体、  ２…カードケース、  ３、４、５…貫通孔、  ６…Ｌ字状突起、  ７…係止爪、  ８…フック杆、  ９…傾斜面、  10…ヘルメット、  11、15…折り返し片、  12…突起部、  13…鍔、  14…外方折曲部、  16…カード。
【図１】
2008266858.tif 000003
【図２】
2008266858.tif 000004
【図３】
2008266858.tif 000005
【図４】
2008266858.tif 000006
【図５】
2008266858.tif 000007
【図６】
2008266858.tif 000008
【図７】
2008266858.tif 000009
【図８】
2008266858.tif 000010